(57)【要約】      （修正有）【課題】断熱材のダクトへの被覆作業が容易で、確実に施工できるようになり、作業に熟練していなくとも施工することができるダクトのコーナー用断熱材及びダクトのフランジ用断熱材を提供する。【解決手段】ダクトのコーナー用断熱材１は、断面略Ｌ字型の長尺の断熱材３と、断熱材の外側面に貼着され、両側端が延出して延出部を形成しているシート状表被材５と、延出部に設けられた粘着層と、を備えて構成されている。また、ダクトのフランジ用断熱材は、長手方向に沿って、フランジ嵌合用溝部を裏面に設けた長尺の断熱材と、断熱材の上面及び両側面に貼着され、両側端が延出して延出部を形成しているシート状表被材と、延出部に設けられた粘着層と、を備えて構成されている。【選択図】図１
0003188144.tif 000002
【実用新案登録請求の範囲】
【請求項１】
断面略Ｌ字型の長尺の断熱材と、
前記断熱材の外側面に貼着され、両側端が延出して延出部を形成しているシート状表被材と、
前記延出部に設けられた粘着層と、
を備えたダクトのコーナー用断熱材。
【請求項２】
長手方向に沿って、フランジ嵌合用溝部を裏面に設けた長尺の断熱材と、
前記断熱材の上面及び両側面に貼着され、両側端が延出して延出部を形成しているシート状表被材と、
前記延出部に設けられた粘着層と、
を備えたダクトのフランジ用断熱材。
【考案の詳細な説明】
【技術分野】
【０００１】
本考案は、ダクト用断熱材に関する。
【背景技術】
【０００２】
従来、特許文献１に記載されているように、ダクトのフランジに突き合うようにマット状断熱材の片面にシート状表被材を設けたダクト用断熱材をダクトに巻き付け、次に、マット状断熱材の片面にシート状表被材を設けると共に他方の面にダクトフランジを収容できるようにスリットや溝を設けたダクトフランジ用断熱材をフランジの外周上に沿わせて重ね巻きをして断熱施工をするものが提案されている。
【先行技術文献】
【特許文献】
【０００３】
【特許文献１】特開２０００−８８３３０号公報
【考案の概要】
【考案が解決しようとする課題】
【０００４】
しかしながら、ダクトは高所で不安定な場所にあることが多いため、特許文献１に提案されているものでは、大きなロール巻のダクト用断熱材をダクトに被覆したり、フランジ用断熱材をダクトフランジに被覆する作業は容易ではない。特に、ダクト用断熱材をコーナー部分に巻きつける作業やフランジ用断熱材をダクトフランジに巻き付ける作業は難しく、作業に熟練した職人が行わなくては、ダクトのコーナー部分やフランジのコーナー部分に浮き上がりや剥がれが生じ断熱性能を低下させたり、水分が進入して結露が生じ易くなるという問題点がある。更に、コーナー部分にしわがよってしまい見栄えが悪くなるという問題もあった。
【０００５】
本考案は、上記のような問題点を解決すべく、ダクト用断熱材のダクトへの巻き付け、フランジ用断熱材のダクトフランジへの巻き付けを不要とし、ダクト用断熱材のダクトへの被覆作業、フランジ用断熱材のダクトフランジへの被覆作業が容易で、確実に施工できるようになり、その結果、作業に熟練していなくとも施工することができるダクトのコーナー用断熱材及びダクトのフランジ用断熱材を提供することを目的とする。
【課題を解決するための手段】
【０００６】
上記目的を達成するために本考案の請求項１に係るダクトのコーナー用断熱材は、断面略Ｌ字型の長尺の断熱材と、断熱材の外側面に貼着され、両側端が延出して延出部を形成しているシート状表被材と、延出部に設けられた粘着層と、を備えて構成されている。また、請求項２に係るダクトのフランジ用断熱材は、長手方向に沿って、フランジ嵌合用溝部を裏面に設けた長尺の断熱材と、断熱材の上面及び両側面に貼着され、両側端が延出して延出部を形成しているシート状表被材と、延出部に設けられた粘着層と、を備えて構成されている。
【考案の効果】
【０００７】
請求項１に係る考案によれば、ダクト用断熱材のダクトへの巻き付けが不要となるので、ダクト用断熱材のダクトへの被覆作業が容易で、確実に施工できるようになり、その結果、作業に熟練していなくとも施工することができるようになる。従って、作業に熟練していない者が行っても、ダクトのコーナー部分に浮き上がりや剥がれが生じ断熱性能を低下させることがなく、水分が進入して結露が生じることもない。更に、コーナー部分にしわがよってしまい見栄えが悪くなるということもなくなる。また、請求項２に係る考案によれば、フランジ用断熱材のダクトフランジへの巻き付けが不要となるので、フランジ用断熱材のダクトフランジへの被覆作業が容易で、確実に施工できるようになり、その結果、作業に熟練していなくとも施工することができる。従って、作業に熟練していない者が行っても、ダクトのフランジ部分に浮き上がりや剥がれが生じ断熱性能を低下させることがなく、水分が進入して結露が生じることもない。更に、コーナー部分にしわがよってしまい見栄えが悪くなるということもなくなる。
【図面の簡単な説明】
【０００８】
【図１】本考案の実施形態におけるダクトのコーナー用断熱材の斜視図である。
【図２】本考案の実施形態におけるダクトのフランジ用断熱材の斜視図である。
【図３】本考案の実施形態におけるダクトのコーナー用断熱材を配置した状態の斜視図である。
【図４】本考案の実施形態におけるダクトのコーナー用断熱材を配置した状態の拡大断面図である。
【図５】本考案の実施形態におけるダクトのフランジ用断熱材を配置した状態の分解斜視図である。
【考案を実施するための形態】
【０００９】
以下、本考案の実施形態を図面１から図面５に基づいて説明する。図１は、本考案の実施形態におけるダクトのコーナー用断熱材の斜視図、図２は、本考案の実施形態におけるダクトのフランジ用断熱材の斜視図、図３は、本考案の実施形態におけるダクトのコーナー用断熱材を配置した状態の斜視図、図４は、本考案の実施形態におけるダクトのコーナー用断熱材を配置した状態の拡大断面図、図５は、本考案の実施形態におけるダクトのフランジ用断熱材を配置した状態の分解斜視図である。
【００１０】
これらの図において、ダクトのコーナー用断熱材１に使用される断面略Ｌ字型の長尺の断熱材３としては、ロックウール、グラスウール、ポリスチレンフォームが使用される。また、前記断熱材３は、同様な形状をしている長尺の帯状の断熱材２枚を直交させて、Ｌ字型を形成するように接着剤で接着し、更に、一定間隔ごとに細長の金属棒を差込んで固定し、形成することができる。このようにすることで、材料をロスすることがなく、産廃量の削減につながる。
【００１１】
シート状表被材５は、アルミガラスクロスが使用される。前記シート状表被材５は、前記断熱材３の外側面に接着剤で貼着されている。また、シート状表被材５の両側端からの延出部１３には、それぞれ粘着層として両面テープ７が使用されている。両面テープ７を使用することにより、ダクトのコーナー用断熱材１を容易にダクト２０に貼着することができる。
【００１２】
ダクトのフランジ用断熱材２に使用される、長手方向に沿って、フランジ嵌合用溝部を裏面に設けた長尺の断熱材４としては、ロックウール、グラスウール、ポリスチレンフォームが使用される。また、前記断熱材４は、フランジに嵌合する面に２本のスリットを入れ、そのスリット間に切り込みを入れて、スリット間の断熱材を除去して形成することができる。
【００１３】
シート状表被材６は、アルミガラスクロスが使用される。前記シート状表被材６は、フランジ嵌合用溝部を備えた面以外の上面及び両側面に接着剤で貼着されている。また、シート状表被材６の両側端からの延出部１４には、それぞれ粘着層として両面テープ８が使用されている。両面テープ８を使用することにより、ダクトのフランジ用断熱材２を容易にフランジ２２に貼着することができる。
【００１４】
ダクトのコーナー用断熱材１の使用方法は、図３、図４にあるように、ダクト２０の各コーナーにダクトのコーナー用断熱材１を配置して、ダクトのコーナー用断熱材１及びフランジ２２によって囲まれた大きさの断熱材３０及び断熱材３１をフランジ及ダクトのコーナー用断熱材１に当接するように配置して、鋲２３で座金２５を固定することにより、断熱材３０及び断熱材３１がダクト２０に固定される。そして、ダクトのコーナー用断熱材１は、延出部１３の両面テープ７により、断熱材３０や断熱材３１に貼着される。このことにより、ダクトに断熱材を巻き付ける必要がなくなるので、ダクト用断熱マットのダクトへの被覆作業が容易で、確実に施工できるようになり、その結果、作業に熟練していなくとも施工することができるようになる。なお、断熱材３０や断熱材３１を固定してから、ダクトのコーナー用断熱材１を設置することもでき、また、ダクトのコーナー用断熱材１を配置し、前記ダクトのコーナー用断熱材１に当接するように断熱材３０を固定し、次に前記断熱材３０に当接するように別のコーナーにダクトのコーナー用断熱材１を設置するというように行うこともできる。
【００１５】
ダクトのフランジ用断熱材２の使用方法は、図５にあるように、ダクトのフランジ用断熱材２のフランジ嵌合用溝部１０が、フランジ２２を収納するように被覆し、延出部１４の両面テープによりダクト２０に固定された断熱材に貼着させる。このような施工をフランジ２２の全周を被覆するために、ダクト２０の４辺の４箇所行う。このことにより、フランジ２２に断熱材を巻き付ける必要がなくなるので、ダクトのフランジ用断熱材２のフランジへの被覆作業が容易で、確実に施工できるようになり、その結果、作業に熟練していなくとも施工することができるようになる。なお、ダクトのフランジ用断熱材２の両端は、４５度の角度で切り落としておいてもよい。隣接するダクトのフランジ用断熱材２の両端相互が、密接することができるからである。
【符号の説明】
【００１６】
１    ダクトのコーナー用断熱材
２    ダクトのフランジ用断熱材
３    断面略Ｌ字型の断熱材
４    フランジ嵌合用溝部を備えた断熱材
５    シート状表被材
６    シート状表被材
７    両面テープ
８    両面テープ
１０  フランジ嵌合用溝部
２０  ダクト
２２  フランジ
２３  鋲
２５  座金
３０  平面断熱材
３１  平面断熱材
【図１】
0003188144.tif 000003
【図２】
0003188144.tif 000004
【図３】
0003188144.tif 000005
【図４】
0003188144.tif 000006
【図５】
0003188144.tif 000007